(57)【要約】【課題】画像に関係しない発光をさせることなく、電源投入直後の色むらの発生を抑え品質の高い画像表示が可能なプラズマディスプレイパネルの駆動方法を提供する。【解決手段】画像信号の１フィールド期間を複数のサブフィールドにより構成するとともに、前記サブフィールドに画像信号に応じて前記放電セルで選択的に書込み放電を発生させるための書込み期間と、書込み放電を発生させた放電セルを発光させるための維持期間とを設けて駆動するように構成し、前記サブフィールドの途中で画像表示を終了する時は、前記維持期間の後に、前記プラズマディスプレイパネルの走査電極に緩やかに下降する傾斜波形電圧を印加する緩和期間を設けるように制御することを特徴とする。【選択図】図６
2008058582.tif 000002
【特許請求の範囲】
【請求項１】
平行に配列した走査電極および維持電極からなる表示電極対と、前記表示電極対と交差する方向に配列したデータ電極とが対向する部分に放電セルを形成したプラズマディスプレイパネルの駆動方法であって、
画像信号の１フィールド期間を複数のサブフィールドにより構成するとともに、前記サブフィールドに画像信号に応じて前記放電セルで選択的に書込み放電を発生させるための書込み期間と、書込み放電を発生させた放電セルを発光させるための維持期間とを設けて駆動するように構成し、
前記サブフィールドの途中で画像表示を終了する時は、前記維持期間の後に、前記プラズマディスプレイパネルの走査電極に緩やかに下降する傾斜波形電圧を印加する緩和期間を設けるように制御することを特徴とするプラズマディスプレイパネルの駆動方法。
【発明の詳細な説明】
【技術分野】
【０００１】
本発明は、壁掛けテレビや大型モニターに用いられるプラズマディスプレイパネルの駆動方法に関する。
【背景技術】
【０００２】
平面状に多数配列された画素を有する画像表示デバイスとして代表的なプラズマディスプレイパネル（以下、「パネル」と略記する）は、対向配置された前面板と背面板との間に画素として多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には放電ガスが封入されている。ここで表示電極対とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法が用いられている。これは、１フィールド期間を複数のサブフィールドに分割し、それぞれのサブフィールドで各放電セルを発光または非発光とすることにより画像表示を行う方法である。そして、サブフィールドのそれぞれは、初期化期間、書込み期間および維持期間を有する。初期化期間では、放電セルで初期化放電を行い、続く書込み動作のために必要な壁電荷を形成する。書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。続く維持期間では、発光させるべき表示輝度に応じた所定の回数の維持パルスを走査電極と維持電極との間に印加し、書込み放電による壁電荷形成を行った放電セルを選択的に放電させ発光させる。なお、サブフィールド毎の表示輝度の比率を「輝度重み」と呼ぶ。
【０００４】
このようなプラズマディスプレイ装置では、電源投入直後に、表示画像に色むらが重畳して画像表示品質が低下することがある。このような色むらの要因のひとつとして、電源オフ時に特異な壁電荷がパネル内部に残留し、その特異な壁電荷が表示画像に影響を与える現象が考えられる。特許文献１には、起動時の表示むらを軽減するとともに表示パネルの初期化を効率的に行うために、電源部のメインスイッチを切ると、バックアップ電源からの電力供給を受け、表示パネルのいずれかの電極に均一化電圧を印加して全画素領域をいっせいに放電させ均一化処理を行う均一化部を備えた表示装置が開示されている。
【特許文献１】特開２００４−８６０７６号公報
【発明の開示】
【発明が解決しようとする課題】
【０００５】
しかしながら、電源部のメインスイッチを切ったときに全画素領域をいっせいに放電させると、表示画面が一瞬明るく発光することになる。平均輝度がある程度高い画像を表示している場合にはこのような発光は認知されにくいが、平均輝度の低い画像を表示している場合にはこのような画像に関係しない発光は目に付きやすく、あまり好ましいものではない。
【０００６】
本発明は上記の課題に鑑みなされたものであり、画像に関係しない発光を抑制して品質の高い画像表示が可能な駆動方法を提供することを目的とする。
【課題を解決するための手段】
【０００７】
このような課題を解決するために本発明は、平行に配列した走査電極および維持電極からなる表示電極対と、表示電極対と交差する方向に配列したデータ電極とが対向する部分に放電セルを形成したプラズマディスプレイパネルの駆動方法であって、画像信号の１フィールド期間を複数のサブフィールドにより構成するとともに、サブフィールドに画像信号に応じて放電セルで選択的に書込み放電を発生させるための書込み期間と、書込み放電を発生させた放電セルを発光させるための維持期間とを設けて駆動するように構成し、サブフィールドの途中で画像表示を終了する時は、維持期間の後に、プラズマディスプレイパネルの走査電極に緩やかに下降する傾斜波形電圧を印加する緩和期間を設けるように制御することを特徴とする。この方法により、画像に関係しない発光を抑制して品質の高い画像表示が可能となる。
【発明の効果】
【０００８】
本発明によれば、画像に関係しない発光を抑制して品質の高い画像表示が可能となる。
【発明を実施するための最良の形態】
【０００９】
以下、本発明の実施の形態におけるプラズマディスプレイパネルの駆動方法について、図面を用いて説明する。
【００１０】
図１は本発明の実施の形態に用いるパネルの要部を示す分解斜視図である。パネル１０は、ガラス製の前面基板２１と背面基板３１とを対向配置して、その間に放電空間を形成するように構成されている。前面基板２１上には表示電極対２８を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面基板３１上には複数のデータ電極３２が形成され、そのデータ電極３２を覆うように誘電体層３３が形成されている。誘電体層３３上には井桁状の隔壁３４が設けられている。また、誘電体層３３の表面および隔壁３４の側面に蛍光体層３５が設けられている。そして、走査電極２２および維持電極２３とデータ電極３２とが交差する方向に前面基板２１と背面基板３１とを対向配置しており、その間に形成される放電空間には、放電ガスとして、例えばネオンとキセノンの混合ガスが封入されている。なお、パネル１０の構造は上述したものに限られるわけではなく、例えばストライプ状の隔壁を備えたものであってもよい。
【００１１】
図２は本発明の実施の形態におけるパネル１０の電極配列図である。行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１２】
このパネルの駆動方法について説明すると、画像信号の１フィールド期間を複数のサブフィールドにより構成し、その各サブフィールドに画像信号に応じて前記放電セルで選択的に書込み放電を発生させるための書込み期間と、書込み放電を発生させた放電セルを発光させるための維持期間とを設けることにより、画像信号に応じて各放電セルを発光させて駆動するように構成している。
【００１３】
図３は本発明の駆動方法を実施するためのプラズマディスプレイ装置の回路ブロックの一例を示す図である。図３において、プラズマディスプレイ装置１００は、上記で説明したパネル１０と、画像信号処理回路５１と、データ電極駆動回路５２と、走査電極駆動回路５３と、維持電極駆動回路５４と、タイミング発生回路５５と、電源回路６０と、制御回路７０とを備えている。
【００１４】
前記画像信号処理回路５１は、入力された画像信号ｓｉｇをサブフィールド毎の放電セルの発光または非発光を示す画像データに変換する。
【００１５】
前記タイミング発生回路５５は、水平同期信号ＨＤ、垂直同期信号ＶＤおよびオンオフ制御部７８の出力をもとにして各回路ブロックの動作を制御する各種のタイミング信号を発生し、それぞれの回路ブロックへ供給する。
【００１６】
前記データ電極駆動回路５２は、前記タイミング発生回路５５からのタイミング信号にもとづいて、サブフィールド毎の画像データを各データ電極Ｄ１〜Ｄｍに対応する信号に変換し各データ電極Ｄ１〜Ｄｍを駆動する。また、走査電極駆動回路５３は、前記タイミング発生回路５５からのタイミング信号にもとづいて駆動電圧波形を各走査電極ＳＣ１〜ＳＣｎにそれぞれ印加し、また維持電極駆動回路５４は、前記タイミング発生回路５５からのタイミング信号にもとづいて駆動電圧波形を維持電極ＳＵ１〜ＳＵｎに印加する。
【００１７】
電源回路６０は、商用ＡＣ１００（Ｖ）電源から電源回路６０に電力を供給するための主電源スイッチ６２と、パネル１０を駆動するための各回路ブロックに必要な電力を供給する駆動電源部６３と、制御回路７０を動作させるための電力を供給するスタンバイ電源部６４と、主電源スイッチ６２がオンであることを示す信号を出力する通電検出部６５とを備える。そして、主電源スイッチ６２をオンすることにより、スタンバイ電源部６４と通電検出部６５とが動作する。一方、駆動電源部６３のオン／オフは電源制御部７６により制御される。なお、図面していないが、駆動電源部６３から上記の各回路ブロックに駆動電圧が供給されるように構成されている。
【００１８】
制御回路７０は、マイクロコンピュータ等を用いてリモートコントロールスイッチ（以下、「リモコン」と略記する）８０の信号を受信しその信号をエンコードするリモコン制御部７２と、通電検出部６５およびリモコン制御部７２の出力にもとづきプラズマディスプレイ装置１００のオン／オフを制御するオンオフ制御部７８と、駆動電源部６３のオン／オフを制御する電源制御部７６とを備える。
【００１９】
リモコン制御部７２は、リモコン受光部７３でリモコン８０からの信号を受信し、プラズマディスプレイ装置１００の電源のオン／オフを制御するオン信号Ｃ１１を発生する。
【００２０】
オンオフ制御部７８は、リモコン８０でオン／オフを制御するオン信号Ｃ１１および主電源スイッチ６２がオンであることを示す主電源オン信号Ｃ１２にもとづき、タイミング発生回路５５の動作を制御するためのイネーブル信号Ｃ２１を発生する。そして詳細は後述するが、タイミング発生回路５５はイネーブル信号Ｃ２１にもとづき、プラズマディスプレイ装置１００のオン時にはオン−シーケンス、オフ時にはオフ−シーケンスの動作を行う。また、オンオフ制御部７８は、駆動電源部６３のオン／オフを制御するイネーブル信号Ｃ２２を発生し電源制御部７６に出力する。
【００２１】
電源制御部７６は、イネーブル信号Ｃ２２にもとづき駆動電源部６３のオン／オフ制御を行う。加えて電源制御部７６は、プラズマディスプレイ装置１００になんらかの異常が発生したことを示す非常停止信号Ｃ３０にもとづき駆動電源部６３をオフする。
【００２２】
次に、プラズマディスプレイ装置１００の動作について説明する。本発明の駆動方法においては、１フィールド期間を複数のサブフィールドに分割し、それぞれのサブフィールドにおいて、画像信号に応じて前記放電セルで選択的に書込み放電を発生させるための書込み期間と、書込み放電を発生させた放電セルを発光させるための維持期間とを設けて駆動することにより、各放電セルを発光または非発光として画像表示を行うサブフィールド法を用いてパネルを駆動する。
【００２３】
まず、プラズマディスプレイ装置１００の画像表示時における駆動シーケンスについて説明する。
【００２４】
図４は本発明の実施の形態におけるパネル１０の各電極に印加する駆動電圧波形を示す図であり、１フィールドを構成する複数のサブフィールドのうち、最初のサブフィールド（第１ＳＦ）と２番目のサブフィールド（第２ＳＦ）との駆動電圧波形について示している。
【００２５】
初期化期間では、まずその前半部において、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１から放電開始電圧を超える電圧Ｖｉ２に向かって緩やかに上昇するランプ電圧を印加する。すると、すべての放電セルにおいて微弱な初期化放電を起こし、走査電極ＳＣ１〜ＳＣｎ、維持電極ＳＵ１〜ＳＵｎおよびデータ電極Ｄ１〜Ｄｍ上に壁電圧が蓄積される。ここで、電極上の壁電圧とは電極を覆う誘電体層上や蛍光体層上等に蓄積した壁電荷により生じる電圧を指す。
【００２６】
続いて初期化期間の後半部において、維持電極ＳＵ１〜ＳＵｎを電圧Ｖｅ１に保ち、走査電極ＳＣ１〜ＳＣｎに電圧Ｖｉ３から電圧Ｖｉ４に向かって緩やかに下降するランプ電圧を印加する。すると、すべての放電セルにおいて再び微弱な初期化放電を起こし、走査電極ＳＣ１〜ＳＣｎ、維持電極ＳＵ１〜ＳＵｎおよびデータ電極Ｄ１〜Ｄｍ上の壁電圧が書込み動作に適した値に調整される。
【００２７】
なお、１フィールドを構成するサブフィールドのうちいくつかのサブフィールドでは初期化期間の前半部を省略してもよく、その場合には、直前のサブフィールドで維持放電を行った放電セルに対して選択的に初期化動作が行われる。図４には、第１ＳＦの初期化期間では前半部および後半部を有する初期化動作、第２ＳＦ以降のサブフィールドの初期化期間では後半部のみを有する初期化動作を行う駆動電圧波形を示した。
【００２８】
書込み期間では、維持電極ＳＵ１〜ＳＵｎに電圧Ｖｅ２を、走査電極ＳＣ１〜ＳＣｎに電圧Ｖｃを印加する。そしてデータ電極Ｄ１〜Ｄｍのうち１行目に発光すべき放電セルのデータ電極Ｄｋ（ｋ＝１〜ｍ）に書込みパルス電圧Ｖｄを印加するとともに、１行目の走査電極ＳＣ１に走査パルス電圧Ｖａを印加する。すると、データ電極Ｄｋと走査電極ＳＣ１との間および維持電極ＳＵ１と走査電極ＳＣ１との間に書込み放電が起こり、この放電セルの走査電極ＳＣ１上に正の壁電圧、維持電極ＳＵ１上に負の壁電圧が蓄積される。このようにして、１行目に発光すべき放電セルで書込み放電を起こして各電極上に壁電圧を蓄積する書込み動作が行われる。一方、書込みパルス電圧Ｖｄを印加しなかったデータ電極Ｄｈ（ｈ≠ｋ）と走査電極ＳＣ１との交差部では書込み放電は発生しない。以上の書込み動作をｎ行目の放電セルに至るまで順次行い、書込み期間が終了する。
【００２９】
続く維持期間では、維持電極ＳＵ１〜ＳＵｎを０（Ｖ）に戻し、走査電極ＳＣ１〜ＳＣｎに維持パルス電圧Ｖｓを印加する。このとき書込み放電を起こした放電セルにおいては、走査電極ＳＣｉ上と維持電極ＳＵｉ上との間の電圧は維持パルス電圧Ｖｓに走査電極ＳＣｉ上および維持電極ＳＵｉ上の壁電圧の大きさが加算されたものとなり放電開始電圧を超える。そして、走査電極ＳＣｉと維持電極ＳＵｉとの間に維持放電が起こり発光する。このとき走査電極ＳＣｉ上に負の壁電圧が蓄積され、維持電極ＳＵｉ上に正の壁電圧が蓄積される。続いて走査電極ＳＣ１〜ＳＣｎを０（Ｖ）に戻し、維持電極ＳＵ１〜ＳＵｎに維持パルス電圧Ｖｓを印加する。すると、維持放電を起こした放電セルでは、維持電極ＳＵｉ上と走査電極ＳＣｉ上との間の電圧が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに、輝度重みに応じた数の維持パルスを印加することにより、書込み期間において書込み放電を起こした放電セルでは維持放電が継続して行われる。なお、書込み期間において書込み放電が起こさなかった放電セルでは維持放電は発生せず、初期化期間の終了時における壁電圧が保持される。こうして維持期間における維持動作が終了する。
【００３０】
続くサブフィールドにおいても、初期化期間および書込み期間は第１ＳＦと同様であり、維持期間は維持パルス数を除いて第１ＳＦの維持期間と同様の維持動作を行う。このようにして、画像表示時には、サブフィールドのそれぞれにおいて初期化期間、書込み期間、維持期間の順でパネルを駆動し、放電セルのそれぞれをサブフィールド毎に発光または非発光となるように制御して、各サブフィールドの輝度重みを組み合わせて画像表示を行っている。
【００３１】
次に、リモコン８０を用いてプラズマディスプレイ装置１００の電源をオン／オフする場合の駆動シーケンスについて図５を用いて説明する。図５は本発明の実施の形態におけるプラズマディスプレイ装置１００のオンおよびオフ時の各制御信号を示す図である。この場合、主電源スイッチ６２はすでにオンになっているので、主電源オン信号Ｃ１２は「Ｈ」である。
【００３２】
リモコン８０を用いてプラズマディスプレイ装置１００をオンする場合には、リモコン制御部７２がリモコン８０からの信号を受信し、それをデコードしてオン信号Ｃ１１を「Ｈ」にする。オン信号Ｃ１１が「Ｈ」になると、オンオフ制御部７８は電源制御部７６に出力するイネーブル信号Ｃ２２を速やかに「Ｈ」にする。電源制御部７６はイネーブル信号Ｃ２２が「Ｈ」になると、駆動電源部６３を動作させ、各回路ブロックへ駆動電圧を供給する。
【００３３】
オンオフ制御部７８は、駆動電源部６３の各出力電圧が安定するまでの間パネルの駆動を遅らせるために、オン信号Ｃ１１が「Ｈ」になってからおよそ４ｓｅｃ後にイネーブル信号Ｃ２１を「Ｈ」とし、タイミング発生回路５５へ出力する。タイミング発生回路５５はイネーブル信号Ｃ２１が「Ｈ」になると維持電極ＳＵ１〜ＳＵｎに電圧Ｖｅ２を、走査電極ＳＣ１〜ＳＣｎに電圧Ｖｃをそれぞれ印加する。そしてタイミング発生回路５５に垂直同期信号ＶＤが入力されると、タイミング発生回路５５は各種のタイミング信号の発生を開始し、それぞれの回路ブロックへ供給して、第１ＳＦの初期化期間の駆動電圧波形から順次、図４に示した駆動電圧波形をパネル１０に印加して、プラズマディスプレイ装置１００の動作を開始する。
【００３４】
リモコン８０を用いてプラズマディスプレイ装置１００をオフする場合には、リモコン制御部７２がリモコンからの信号を受信し、それをデコードしてオン信号Ｃ１１を「Ｌ」にする。
【００３５】
オンオフ制御部７８は、オン信号Ｃ１１が「Ｌ」になるとイネーブル信号Ｃ２１を速やかに「Ｌ」にする。タイミング発生回路５５は、イネーブル信号Ｃ２１が「Ｌ」になってもすぐにその動作を停止するのではなく、サブフィールドの途中でイネーブル信号Ｃ２１が「Ｌ」になっても、そのサブフィールドの維持期間の動作を完了し、その後直前の維持期間において発光させた放電セルの壁電荷を選択的に緩和するための緩和期間動作を行う。そしてその後にプラズマディスプレイ装置１００の画像表示動作を終了する。すなわち、あるサブフィールドの初期化期間にイネーブル信号Ｃ２１が「Ｌ」になった場合には、そのサブフィールドの初期化動作、書込み動作および維持動作を行い、その後に壁電荷緩和動作を行った後、画像表示動作を終了する。また、あるサブフィールドの書込み期間にイネーブル信号Ｃ２１が「Ｌ」になった場合には、そのサブフィールドの書込み動作および維持動作を行い、その後に壁電荷緩和動作を行った後、画像表示動作を終了する。さらに、あるサブフィールドの維持期間にイネーブル信号Ｃ２１が「Ｌ」になった場合には、維持動作の後に壁電荷緩和動作を行った後、画像表示動作を終了する。
【００３６】
図６は本発明の実施の形態におけるプラズマディスプレイ装置１００をオフする場合のパネル１０の各電極に印加する駆動電圧波形を示す図である。この例では、書込み期間中にイネーブル信号Ｃ２１が「Ｌ」となっているが、上述したように、そのサブフィールドの書込み動作および維持動作を行い、その後に緩和期間を設け壁電荷緩和動作を行った後、画像表示動作を終了している。
【００３７】
初期化期間、書込み期間、維持期間は定常動作時における動作と同様であるため説明を省略する。維持期間において維持放電を行った後、緩和期間では、維持電極ＳＵ１〜ＳＵｎを電圧Ｖｅ２に保ち、走査電極ＳＣ１〜ＳＣｎに電圧Ｖｉ３’から電圧Ｖｉ４に向かって緩やかに下降するランプ電圧を印加する。すると、直前のサブフィールドで維持放電を行った放電セルにおいて微弱な放電を起こし、走査電極ＳＣ１〜ＳＣｎ、維持電極ＳＵ１〜ＳＵｎおよびデータ電極Ｄ１〜Ｄｍ上の壁電圧が、初期化期間の後半部のみを有する初期化動作を行った放電セルに準じた値に調整される。そしてその後、維持電極ＳＵ１〜ＳＵｎに電圧Ｖｅ２を印加したまま、走査電極ＳＣ１〜ＳＣｎに電圧Ｖｃを印加した状態で動作を停止する。その後、駆動電源部６３も動作を停止するため、走査電極ＳＣ１〜ＳＣｎおよび維持電極ＳＵ１〜ＳＵｎに印加した電圧Ｖｃおよび電圧Ｖｅ２も低下し始める。しかしこの電圧低下に伴って放電を発生することはないので、放電セル内部の壁電圧は壁電荷緩和動作の後の値に保たれる。
【００３８】
このように本実施の形態においては、画像表示を終了する時には、オン信号Ｃ１１が「Ｌ」になってもすぐパネルの駆動を停止させるのではなく、１サブフィールド分の動作を行い、さらに維持期間の後に緩和期間を設け、その緩和期間の直前の維持期間において発光させた放電セルの壁電荷を選択的に緩和する壁電荷緩和動作を行った後、パネルの駆動を停止させる。そのために、どのようなタイミングでプラズマディスプレイ装置をオフにしても放電セル内部に特異な壁電圧が残留することがない。したがって、電源投入直後の色むらの発生を抑え品質の高い画像表示が可能となる。また、壁電荷を緩和するための放電は直前の維持期間において発光させた放電セルで選択的に発生するので、この放電に伴う発光が表示画像に関係しない発光として認識されることはない。
【００３９】
なお、主電源スイッチ６２を用いてプラズマディスプレイ装置１００を直接にオン／オフさせた場合、または停電等により商用電源からの電力供給が停止した場合であっても、上述したリモコン８０を用いてプラズマディスプレイ装置１００をオン／オフさせる場合と同様である。
【００４０】
主電源スイッチをオフまたは停電等により電力供給が停止した場合にすぐパネルの駆動を停止させるのではなく、表示終了の信号を受けた時点のサブフィールドの維持期間の動作を行い、その後維持期間において発光させた放電セルの壁電荷を選択的に緩和する緩和期間の動作を行った後、パネルの駆動を停止させる。そのために、どのようなタイミングでプラズマディスプレイ装置をオフにしても、放電セル内部に特異な壁電圧が残留することがなく、したがって、電源投入直後の色むらの発生を抑え品質の高い画像表示が可能となる。また、壁電荷を緩和するための放電は直前の維持期間において発光させた放電セルで選択的に発生するので、この放電に伴う発光が表示画像に関係しない発光として認識されることはない。
【００４１】
また、画像表示動作を終了するまでの時間を短縮するために、終了動作を行う維持期間における維持パルス数を、そのサブフィールドに設定されている輝度重みにかかわらず、所定の輝度重み、例えば「２」とする等、制限してもよい。さらに、書込み期間において表示終了になった場合には、それ以降の書込み動作を省略して維持期間に移る等としても画像表示動作を終了するまでの時間を短縮することができる。
【産業上の利用可能性】
【００４２】
本発明は、画像に関係しない発光をさせることなく、電源投入直後の色むらの発生を抑えた品質の高い画像表示が可能であり、プラズマディスプレイパネルの駆動方法として有用である。
【図面の簡単な説明】
【００４３】
【図１】本発明の実施の形態に用いるパネルの要部を示す分解斜視図
【図２】本発明の実施の形態におけるパネルの電極配列図
【図３】本発明の実施の形態におけるプラズマディスプレイ装置の回路ブロック図
【図４】本発明の実施の形態におけるパネルの各電極に印加する駆動電圧波形を示す図
【図５】本発明の実施の形態におけるプラズマディスプレイ装置のオンおよびオフ時の各制御信号を示す図
【図６】本発明の実施の形態におけるプラズマディスプレイ装置をオフする場合のパネルの各電極に印加する駆動電圧波形を示す図
【符号の説明】
【００４４】
１０    パネル
２２    走査電極
２３    維持電極
２８    表示電極対
３２    データ電極
【図１】
2008058582.tif 000003
【図２】
2008058582.tif 000004
【図３】
2008058582.tif 000005
【図４】
2008058582.tif 000006
【図５】
2008058582.tif 000007
【図６】
2008058582.tif 000008